(57)【要約】【課題】室内の快適性の向上と、空調エネルギーの削減効果を図ることを可能とした空気調和方法と、これに使用する空気調和設備および潜熱蓄熱ユニットを提案する。【解決手段】居室の床下１１に潜熱蓄熱材５を設け、床下１１に送風された空気を利用して居室空間１０の気温を調整する空気調和方法であって、外気を床下１１に取り入れて潜熱蓄熱材５を外気で冷却する第一モードと、床下１１を介して居室空間１０に送風することで、第一モードにおいて冷却された潜熱蓄熱材５から放熱された冷熱を居室空間１０に供給する第二モードと、加熱処理後の暖気を居室空間１０に床下１１を介して送風することで、潜熱蓄熱材５を暖気で暖める第三モードと、床下１１を介して居室空間１０に送風することで、第三モードにおいて暖められた潜熱蓄熱材５から放熱された温熱を居室空間１０に供給する第四モードとを備えている。【選択図】図１
2019152342.tif 000002
【特許請求の範囲】
【請求項１】
居室の床下に潜熱蓄熱材を設け、前記床下に送風されて前記潜熱蓄熱材の上面または前記潜熱蓄熱材の下面に接した空気を利用して居室空間の気温を調整する空気調和方法であって、
外気を前記床下に取り入れて前記潜熱蓄熱材を前記外気で冷却する第一モードと、
前記床下を介して前記居室空間に送風することで、前記第一モードにおいて冷却された前記潜熱蓄熱材から放熱された冷熱を前記居室空間に供給する第二モードと、
加熱処理後の暖気を前記居室空間に前記床下を介して送風することで、前記潜熱蓄熱材を前記暖気で暖める第三モードと、
前記床下を介して前記居室空間に送風することで、前記第三モードにおいて暖められた前記潜熱蓄熱材から放熱された温熱を前記居室空間に供給する第四モードとを備えていることを特徴とする、空気調和方法。
【請求項２】
床下に設けられた潜熱蓄熱材と、
前記床下を介して居室空間に送気する空気調和機と、を備える空気調和設備であって、
前記空気調和機は、外気および前記居室空間内の空気を取り込む機能を備えていることを特徴とする、空気調和設備。
【請求項３】
前記潜熱蓄熱材は、前記床下の底面および床材の裏面との間に隙間をあけた状態で設けられていることを特徴とする、請求項２に記載の空気調和設備。
【請求項４】
前記床下の給気口側に設けられた潜熱蓄熱材の融解温度が冷房設定温度よりも低く、
前記床下の排気口側に設けられた潜熱蓄熱材の凝固温度が暖房設定温度よりも高いことを特徴とする、請求項２または請求項３に記載の空気調和設備。
【請求項５】
建物の床下に配設される潜熱蓄熱ユニットであって、
潜熱蓄熱材と、前記潜熱蓄熱材を保持する蓄熱材用架台とを備えており、
前記蓄熱材用架台が、前記潜熱蓄熱材の左右の縁部をそれぞれ把持する一対の把持部と、
前記把持部の下面に立設された板状の脚部とを備えていて、
前記脚部は、前記潜熱蓄熱材の前後方向に沿って配設されていることを特徴とする、潜熱蓄熱ユニット。
【発明の詳細な説明】
【技術分野】
【０００１】
本発明は、居室空間の空気調和技術に関する。
【背景技術】
【０００２】
空調機から排出された冷熱または温熱を蓄熱材に蓄熱し、この蓄熱材から熱を徐々に放出することで、熱エネルギーの低減化を図る技術がある。オフィスビル等では、ＯＡフロア等の床下空間（配線・配管用の空間等）に蓄熱材を設ける例がある。
例えば、特許文献１には、床材（ＯＡフロア用パネル等）の下面に接するように蓄熱材が設けられた空調システムが開示されている。この空調システムでは、床下に空調空気を供給することで、蓄熱材に冷熱または温熱を蓄熱させるとともに、前記蓄熱材に蓄熱された冷熱または温熱を、前記床材を介して居室空間に放熱している。
【先行技術文献】
【特許文献】
【０００３】
【特許文献１】特開２０１７−１３３７１３号公報
【発明の概要】
【発明が解決しようとする課題】
【０００４】
特許文献１の空調システムでは、蓄熱材が床材に接しているため、蓄熱材から放熱されやすい環境となっている。そのため、蓄熱された冷熱または温熱が居室空間と床下（蓄熱材）との温度差により放熱されてしまい、意図したタイミングに温度調節（効率的な温度管理）を行い難い。また、床材を介して放熱するため、冷熱利用の場合には床面が直接冷えてしまい、快適性が損なわれるおそれがある。
このような観点から、本発明は、室内の快適性の向上と、自然エネルギーを活用して、空調エネルギーの削減効果を図ることを可能とした空気調和方法と、これに使用する空気調和設備および潜熱蓄熱ユニットを提案することを課題とする。
【課題を解決するための手段】
【０００５】
前記課題を解決するための本発明の空気調和方法は、居室の床下に潜熱蓄熱材を設け、前記床下に送風されて前記潜熱蓄熱材の上面または前記潜熱蓄熱材の下面に接した空気を利用して居室空間の気温を調整する空気調和方法である。この空気調和方法は、外気を前記床下に取り入れて前記潜熱蓄熱材を前記外気で冷却する第一モードと、前記床下を介して前記居室空間に送風することで、前記第一モードにおいて冷却された前記潜熱蓄熱材から放熱された冷熱を前記居室空間に供給する第二モードと、加熱処理後の暖気を前記居室空間に前記床下を介して送風することで、前記潜熱蓄熱材を前記暖気で暖める第三モードと、前記床下を介して前記居室空間に送風することで、前記第三モードにおいて暖められた前記潜熱蓄熱材から放熱された温熱を前記居室空間に供給する第四モードとを備えている。
かかる空気調和方法によれば、例えば、中間期（夏期と冬期の間）等においては、夜間の外気を利用して潜熱蓄熱材を冷やしておき（第一モード）、日中はこの潜熱蓄熱材から放熱された冷熱を居室空間に供給することにより（第二モード）居室空間の温度上昇を抑制できるため、効率的な温度管理と、空調エネルギーの削減が行われる。また、潜熱蓄熱材は、床材（床パネル、ＯＡフロア用パネル等）を直接冷却することがないため、居住性が低下することもない。また、例えば冬期等においては、居室空間を暖める際に利用した加熱処理後の暖気により潜熱蓄熱材を暖めておき（第三モード）、暖められた潜熱蓄熱材から放熱された温熱を居室空間に供給することにより（第四モード）残業時間帯等において室内の温度低下を抑制できるため、送風のみの少ない空調エネルギーによって居室空間を暖めることができる。
【０００６】
また、本発明の空気調和設備は、床下に設けられた潜熱蓄熱材と、前記床下を介して居室空間に送気する空気調和機とを備えるものである。前記空気調和機は、外気および前記居室空間内の空気を取り込む機能を備えている。なお、前記潜熱蓄熱材は、前記床下の底面（床スラブ上面）および床材の裏面との間に隙間を有しているのが望ましい。また、前記床下の給気口側に設けられた潜熱蓄熱材の融解温度が冷房設定温度よりも低く、前記床下の排気口側に設けられた潜熱蓄熱材の凝固温度が暖房設定温度よりも高いのが望ましい。このようにすることで、潜熱蓄熱材への蓄熱を効率的に行うことができる。
かかる空気調和設備によれば、外気を床下に供給することで潜熱蓄熱材を冷却することができ、床下に暖気を供給することで潜熱蓄熱材を暖めることができる。そして、所望のタイミングで床下に送風すれば、潜熱蓄熱材に蓄熱された冷熱または温熱を居室空間に供給して、居室空間内の温度調節を行うことができる。
【０００７】
また、本発明の潜熱蓄熱ユニットは、建物の床下に配設するものである。本発明の潜熱蓄熱ユニットは、潜熱蓄熱材と、前記潜熱蓄熱材を保持する蓄熱材用架台とを備えており、前記蓄熱材用架台が、前記潜熱蓄熱材の左右の縁部をそれぞれ把持する一対の把持部と、前記把持部の下面に立設された板状の脚部とを備えていて、前記脚部は、前記潜熱蓄熱材の前後方向に沿って配設されている。
かかる潜熱蓄熱ユニットによれば、潜熱蓄熱材の敷設が容易で、施工時の手間を低減することができる。
【発明の効果】
【０００８】
本発明の空気調和方法、空気調和設備および潜熱蓄熱ユニットによれば、室内の快適性の向上と、空調エネルギーの削減効果を得ることが可能となる。
【図面の簡単な説明】
【０００９】
【図１】本実施形態の空気調和設備の概要を示す断面図であって、（ａ）は中間期における夜間、（ｂ）は中間期における昼間である。
【図２】潜熱蓄熱ユニットを示す斜視図である。
【図３】（ａ）は床下を示す拡大断面図、（ｂ）は蓄熱材用架台の一部を示す斜視図である。
【図４】（ａ）〜（ｃ）は、他の形態にかかる蓄熱材用架台を示す断面図である。
【図５】空気調和設備の概要を示す断面図であって、（ａ）は冬期における昼間、（ｂ）は冬期における夜間である。
【図６】検証実験の潜熱蓄熱材の配置を示す平面図である。
【発明を実施するための形態】
【００１０】
本実施形態では、図１に示すように、二重床（例えば、ＯＡフロア）を有する建物１（いわゆるオフィスビル）において、床下空間（以下、単に「床下１１」という）に外気または空調空気を供給することで、居室空間１０の快適性の向上と、空調エネルギーの削減効果とを得る場合について説明する。
居室空間１０は、壁、床材１３、天井１４により囲まれた空間である。床材１３には、床下１１から居室空間に空気を供給する床下給送口１５が形成されている。また、天井１４には、居室空間１０内の空気を天井裏１２へ排出する天井排気口１６が形成されている。なお、床下給送口１５や天井排気口１６等の位置は限定されるものではなく、適宜決定すればよい。また、床下１１には、必要に応じて空気を床下給送口１５へ誘導する空間（例えば、チャンバー等のように隔壁等により形成された空間等）が形成されていてもよい。また、天井裏１２には、天井排気口１６から空気調和機３に至るダクトを設けてもよい。
【００１１】
空気調和設備２は、空気調和機３と、潜熱蓄熱ユニット４とを備えている。
空気調和機３は、床下１１を介して居室空間１０に送気する。本実施形態の空気調和機３は、天井裏１２に設置されているが、空気調和機３の設置個所は限定されるものではない。例えば、居室空間１０内に配設されていてもよいし、床下１１に配設されていてもよい。
空気調和機３には、外気導入ダクト３１と、床下送風ダクト３２とが接続されている。なお、空気調和機３が窓際や壁際に設けられており、外気を直接吸気することが可能な場合には、外気導入ダクト３１を省略してよい。また、空気調和機３が床下１１に設けられている場合には、床下送風ダクト３２を省略してもよい。
【００１２】
外気導入ダクト３１は、空気調和機３に外気を誘導する（建物１内に外気を取り入れる）ための管路である。すなわち、外気導入ダクト３１の一端は空気調和機３に接続されていて、外気導入ダクト３１の他端は建物１の壁に形成された外気導入口３３に接続されている。なお、外気導入口３３には、フィルターが設けられている。
床下送風ダクト３２は、空気調和機３から排出された空気（空調空気等）を床下に誘導する管路である。すなわち、床下送風ダクト３２は、天井裏１２の空気調和機３から床下１１に至るように配管されている。
ここで、空気調和機３の吸気口（図示せず）の一部には外気導入ダクト３１が接続されており、残りの部分は開放されている。すなわち、空気調和機３は、選択的に外気導入ダクト３１を介して外気を取り込むこと、および天井裏１２に流入した居室空間１０内の空気を取り込むことが可能である。なお、居室空間１０内の空気を取り込む場合には、天井排気口１６から空気調和機３に至るダクトを設けるのが望ましい。また、空気調和機３は、外気と天井裏１２の空気の両方を取り込んでもよい。
【００１３】
潜熱蓄熱ユニット４は、建物１の床下１１に配設されている。本実施形態では、床下１１での空気の流下方向（床下送風ダクト３２から床下給送口１５に向かう方向）に沿って複数の潜熱蓄熱ユニット４が列状に配設されている。潜熱蓄熱ユニット４の列は複数並設されている。
潜熱蓄熱ユニット４は、図２に示すように、潜熱蓄熱材５と、潜熱蓄熱材５を保持する蓄熱材用架台６とを備えている。
本実施形態の潜熱蓄熱材５は、アルミを蒸着したプラスチック製フィルムに芯材（例えば、プラスチックダンボール）とともに収納されていることで、板状を呈している。本実施形態の潜熱蓄熱材５は矩形状を呈しているが、潜熱蓄熱材５の形状は限定されるものではない。また、潜熱蓄熱材５を収納する容器の材質および形状は限定されるものでない。また、芯材は必要に応じて容器内に収納すれば良い。
本実施形態では、融解・凝固温度が異なる２種類の潜熱蓄熱材５を配置するものとする。床下１１の給気口３４（床下送風ダクト３２）側に設けられた潜熱蓄熱材５（第一潜熱蓄熱材５１）の融解温度は約２０℃とした。なお、給気口３４側に設けられた第一潜熱蓄熱材５１の融解温度は冷房設定温度（例えば、２６℃）よりも低ければよく、約２０℃に限定されるものではない。一方、床下１１の床下給送口１５側に設けられた潜熱蓄熱材５（第二潜熱蓄熱材５２）の凝固温度は約２５℃とした。なお、第二潜熱蓄熱材５２の凝固温度は、暖房設定温度（例えば２２℃）よりも高ければよく、約２５℃の限定されるものではない。
【００１４】
本実施形態の蓄熱材用架台６は、一対の架台構成部材６０，６０により構成されている。蓄熱材用架台６は、アルミニウム合金製の押出型材により形成されている。なお、蓄熱材用架台６を構成する材料はアルミニウム合金製に限定されるものではない。架台構成部材６０は、潜熱蓄熱材５と同等の長さを有していて、潜熱蓄熱材５の空気の流下方向に対して左右の縁部をそれぞれ把持している。蓄熱材用架台６の高さは、床下１１の高さ（床材１３の裏面から底面までの高さ）よりも小さい。蓄熱材用架台６によって保持された潜熱蓄熱材５と床下１１の底面および床材１３の裏面との間には、隙間が確保されている。
架台構成部材６０は、潜熱蓄熱材５の縁部を把持する把持部６１と、脚部６２とを備えている。
【００１５】
また、本実施形態の一対の把持部６１，６１は、２枚の潜熱蓄熱材５，５を上下に隙間をあけた状態で把持している。すなわち、各潜熱蓄熱材５は、上面および下面が開放されている。なお、蓄熱材用架台６によって保持される潜熱蓄熱材５の数は限定されるものではなく、１枚でも良いし（図４（ａ）参照）、３枚以上であってもよい。
把持部６１は、上下に間隔をあけて配設された３枚の横板部６３（６３ａ，６３ｂ，６３ｃ）と、横板部６３を連結する縦板部６４とを備えている。潜熱蓄熱材５の縁部は、横板部６３同士の間に挿入される。上段の横板部６３ａと中段の横板部６３ｂとの隙間は、上側の潜熱蓄熱材５ａの厚さと同程度である。中段の横板部６３ｂと下段の横板部６３ｃとの隙間は、下側の潜熱蓄熱材５ｂの厚さよりも大きい。上段の横板部６３ａの先端部（縦板部６４と反対側の端部）は、潜熱蓄熱材５ａの縁部を挿入しやすくなるように、上向きに傾斜している。中段の横板部６３ｂは先端部に抑え部６５を有している。抑え部６５は、下側の潜熱蓄熱材５ｂの上面を抑えている。すなわち、下側の潜熱蓄熱材５ｂは、中段の横板部６３ｂの抑え部６５の下端面と下段の横板部６３ｃの上面とによって把持されている。本実施形態の抑え部６５は、断面視ロ字状を呈している。なお、抑え部６５の形状は限定されるものではなく、図４（ｂ）に示すように、横板部６３の先端部を折り曲げることによりコ字状に形成された部分であってもよいし、図４（ｃ）に示すように、Ｃ字状を呈していてもよい。抑え部６５は、板片が間隔をあけて配設されていることで、ヒートシンク機能を有している。すなわち、抑え部６５は、熱を吸収しやすく、かつ、放熱しやすい。各横板部６３の先端部は、潜熱蓄熱材５を傷つけることがないように、潜熱蓄熱材５との接触面の角部が隅切あるいは傾斜している。
【００１６】
脚部６２は、潜熱蓄熱材５の前後方向（空気の流下方向）に沿って配設された板状片６６により構成されている。本実施形態では、３枚の板状片６６ａ，６６ｂ，６６ｃが間隔をあけて並設されている。潜熱蓄熱材５は、脚部６２により、床下１１の底面から隙間をあけた位置に配設される。また、蓄熱材用架台６は、複数の板状片６６ａ，６６ｂ，６６ｃが配設されていることで、ヒートシンク機能を有している。すなわち、複数の板状片６６が配設されているため、熱を吸収しやすく、かつ、放熱しやすい。蓄熱材用架台６は、伝熱性に優れたアルミニウム合金により形成されているため、潜熱蓄熱材５との間で熱が伝達しやすい。
【００１７】
以下、空気調和設備２を利用して、居室空間の気温を調整する空気調和方法について説明する。
まず、４月や１１月などの中間期における空気調和方法について説明する。
中間期では、図１（ａ）に示すように、夜間に空気調和機３を介して外気を床下１１に取り入れて床下１１に設けられた潜熱蓄熱材５をこの外気によって冷却しておく（第一モード）。
図１（ｂ）に示すように、翌朝、空気調和機３から床下１１を介して居室空間１０に送風すると、潜熱蓄熱材５によって冷却された床下１１の空気が居室空間１０に供給される（第二モード）。このとき、気温が室温よりも高い外気は取り込まずに室内の空気を循環させる。
【００１８】
次に、１２月〜３月の冬期における空気調和方法について説明する。
冬期では、図５（ａ）に示すように、昼間の居室空間１０の利用時に加熱処理後の暖気（空調空気）を居室空間１０送風する。このとき、暖気は床下送風ダクト３２を介して床下１１に供給された後、床下給送口１５から居室空間１０へ送風される。また、居室空間１０内の空気は、天井排気口１６から天井裏１２へ排気されて、空気調和機３に供給される。床下１１に設けられた潜熱蓄熱材５は、床下１１を通過した暖気によって暖められる（第三モード）。
図５（ｂ）に示すように、夕方以降等、床下１１を介して居室空間１０に送風すると、潜熱蓄熱材５によって暖められた床下の空気が居室空間１０に供給される（第四モード）。
【００１９】
以上、本実施形態の空気調和設備２を利用した空気調和方法によれば、潜熱蓄熱材５を利用して、効率的な温度管理を行うことができる。すなわち、昼間は気温が高く、夜間は涼しくなる季節においては、気温が低い時間帯の外気を利用して潜熱蓄熱材５を冷やしておき、気温が高くなる時間帯には潜熱蓄熱材５から放熱された冷熱により居室空間１０の温度上昇を抑制することで効率的な温度管理が行われる。このとき潜熱蓄熱材５は、床材１３を直接冷却することがないため、居住性が低下することもない。
また、冬期等、気温が低い季節には、居室空間１０を暖める際に利用した加熱処理後の暖気を利用して潜熱蓄熱材５を暖めておき、この潜熱蓄熱材５から放熱された温熱を利用して室内の温度低下を抑制することができる。このようにすれば、少ない空調エネルギーによって居室空間１０を暖めることができる。
【００２０】
また、潜熱蓄熱材５の上面および下面は開放されているため、床下１１に送風された空気は、潜熱蓄熱材５の上面または下面に接する。そのため、潜熱蓄熱材５に蓄熱された冷熱または温熱は、床下１１に送風された空気によって放熱される。
潜熱蓄熱材５を保持する蓄熱材用架台６がヒートシンク機能を有しているため、潜熱蓄熱材５の蓄熱性および放熱性が損なわれ難い。
床下１１の給気口３４側に設けられた潜熱蓄熱材５の融解温度（約２０℃）が冷房設定温度（２６℃）よりも低く、床下１１の床下給送口１５側に設けられた潜熱蓄熱材５の凝固温度（約２５℃）が暖房設定温度（２２℃）よりも高いため、居室空間１０の温度調節を効率的に行うことができる。
潜熱蓄熱材５は、蓄熱材用架台６によって保持された状態でユニット化（潜熱蓄熱ユニット４）されているため、施工時の位置決めが容易である。
床下１１に送風された空気（冷気（中間期）または暖気（冬季））によって潜熱蓄熱材５への蓄熱または潜熱蓄熱材５からの放熱をより効果的に行うには、床下１１底面から建物本体（躯体）への空気の放熱を防止するために、床下１１底面に断熱材を設置することが好ましい。この断熱材としては、発泡断熱パネル（厚み１０ｍｍ程度）を設置することがより好ましく、押出発泡断熱パネル（ＸＰＳ）のような表面平滑性に優れた断熱材がさらに好ましい。このような断熱材を設けることで、潜熱蓄熱ユニット４の施工性が確保されるだけではなく、より効率的な潜熱蓄熱材５への蓄熱性、放熱性が保持できる。
【００２１】
以下、本実施形態の空気調和設備２について、潜熱蓄熱材５の敷設に関して検証した実験結果について説明する。
まず、中間期の外気温度を想定した１５℃の冷気を送風した場合における蓄熱特性を検証した（第一検証実験）。本実証実験では、床下１１に対して、２箇所の給気口３４から１５℃の冷気を送風した場合において、潜熱蓄熱材５が完全に凝固するまでに要する時間を測定した。潜熱蓄熱材５は、図６に示すように、空気の流下方向に対して７枚並設した潜熱蓄熱材５の列を、流下方向と直交する方向に６列敷設した。前後左右の潜熱蓄熱材５同士の間には隙間を設けた。また、給気口３４側から３行目（第Ｉ行目〜第ＩＩＩ行目）までは、全ての潜熱蓄熱材５を融解温度が約２０℃の第一潜熱蓄熱材５１とし、給気口３４側から５〜７行目（第Ｖ行目〜第ＶＩＩ行目）については全ての潜熱蓄熱材５を凝固温度が約２５℃の第二潜熱蓄熱材５２とした。さらに、給気口３４側から４行目（第ＩＶ行目）については、１列おきに、第一潜熱蓄熱材５１（第Ａ，Ｃ，Ｅ列）と第二潜熱蓄熱材５２（第Ｃ，Ｄ，Ｆ列）を配置した。
実験結果を表１に示す。
【００２２】
【表１】
2019152342.tif 000003
【００２３】
表１に示すように、給気口３４側の３行目（第ＩＩＩ行目）の潜熱蓄熱材５については、５．５時間以内に凝固する結果となった。一方、給気口３４側から４行目（第ＩＶ行目）の潜熱蓄熱材５は、凝固に８時間以上要した。そのため、居室空間１０の冷却に使用する潜熱蓄熱材５は、３行目（第Ｉ行目〜第ＩＩＩ行目）まで配置するのが有効であるという結果となった。
【００２４】
次に、冬期の空調暖房を想定した３０〜４０℃の温風を送風した場合における蓄熱特性を検証した（第二検証実験）。なお、潜熱蓄熱材５の配置は、第一検証実験と同様とする。実験結果を表２に示す。
表２に示すように、４行目（第ＩＶ行目）の潜熱蓄熱材５の融解に要する時間は約２時間、７行目（第ＶＩＩ行目）の潜熱蓄熱材５の融解に要する時間は約３．５時間であった。そのため、居室空間１０を暖めるために使用する潜熱蓄熱材５は、７行目（第ＶＩＩ行目）でも有効であるという結果となった。
すなわち、第一検証実験と第二検証実験の結果により、床下１１の給気口３４側に第一潜熱蓄熱材５１を配置し、床下給送口１５側に第二潜熱蓄熱材５２を配置すれば、各潜熱蓄熱材５が所望の機能を発揮（凝固または溶融による放熱）し、効率的な潜熱蓄熱材５への蓄熱を行うことが可能であることが実証された。
【００２５】
【表２】
2019152342.tif 000004
【００２６】
以上、本発明に係る実施形態について説明した。しかし、本発明は、前述の実施形態に限られず、前記の各構成要素については、本発明の趣旨を逸脱しない範囲で、適宜変更が可能である。
空気調和方法において各モード（第一モード〜第四モード）を適用する季節は限定されるものではなく、気温などに応じて適宜設定すればよい。
前記実施形態では、蓄熱材用架台６が一対の架台構成部材６０，６０により構成されている場合について説明したが、蓄熱材用架台６は、必ずしも複数に分割されている必要はない。例えば、一対の把持部６１が板材等を介して連結されていてもよい。このとき、脚部６２は、左右の端部のみに形成されていてもよいし、下面全体に間隔をあけて形成されていてもよい。
【符号の説明】
【００２７】
１    建物
１０  居室空間
１１  床下
１２  天井裏
１３  床材
１４  天井
１５  床下給送口（床下の排気口）
１６  天井排気口
２    空気調和設備
３    空気調和機
３１  外気導入ダクト
３２  床下送風ダクト
３４  給気口（床下の給気口）
４    潜熱蓄熱ユニット
５    潜熱蓄熱材
５１  第一潜熱蓄熱材
５２  第二潜熱蓄熱材
６    蓄熱材用架台
６１  把持部
６２  脚部
【図１】
2019152342.tif 000005
【図２】
2019152342.tif 000006
【図３】
2019152342.tif 000007
【図４】
2019152342.tif 000008
【図５】
2019152342.tif 000009
【図６】
2019152342.tif 000010